(57)【要約】【課題】アーム部の内部や周辺に信号伝送用のコードを存在させないようにし、病室内が広いような場合でも、ナースコール子機の信号伝送が確実に行われるようにする。【解決手段】照明ユニット１と、患者が医療従事者を呼び出すための呼出操作部２ａを備えたナースコールユニット２とを、アーム部の先端のヘッド部３に収容し、壁面ユニット５にアーム部を収容している。そして、ナースコールユニット２の無線送信部２ｃから壁面ユニット５の無線受信部へ無線呼出信号を伝送し、無線の電波を少なくともアーム部の長さ以上の距離を伝送することができるような強さにしている。これにより、無線呼出信号の伝送がナースコールユニット２を収容したヘッド部３と壁面ユニット５との間で行われるので、アーム部内や周辺に信号伝送用のコードが無くなり、病室内が広いような場合でも、ヘッド部３と壁面ユニット５との距離が比較的近くなり、信号伝送が確実に行われる。【選択図】図２
2010154889.tif 000002
【特許請求の範囲】
【請求項１】
患者の近傍を照明する発光部を有する照明ユニットと、
前記患者が医療従事者を呼び出すために操作する呼出操作部と、前記呼出操作部の操作により呼出信号を生成する呼出信号生成部と、少なくとも所定の長さ以上の距離を伝送することができるような強さの電波により前記呼出信号生成部により生成された前記呼出信号を無線にて送信する無線送信部とを有するナースコールユニットと、
前記照明ユニットおよび前記ナースコールユニットを収容するヘッド部と、
前記患者が居るベッドの近傍の壁面に設けられ、前記無線送信部から送信された前記呼出信号を受信し、ナースコール親機へ出力する無線受信部を有する壁面ユニットと、
一端に前記ヘッド部を取り付け、他端を前記壁面ユニットに取り付けて、前記ヘッド部を支持するアーム部と、
備えたナースコール子機。
【請求項２】
情報を表示するディスプレイユニットと、
患者が医療従事者を呼び出すために操作する呼出操作部と、前記呼出操作部の操作により呼出信号を生成する呼出信号生成部と、少なくとも所定の長さ以上の距離を伝送することができるような強さの電波により前記呼出信号生成部により生成された前記呼出信号を無線にて送信する無線送信部とを有するナースコールユニットと、
前記ディスプレイユニットおよび前記ナースコールユニットを収容するヘッド部と、
前記患者が居るベッドの近傍の壁面に設けられ、前記無線送信部から送信された前記呼出信号を受信し、ナースコール親機へ出力する無線受信部を有する壁面ユニットと、
一端に前記ヘッド部を取り付け、他端を前記壁面ユニットに取り付けて、前記ヘッド部を支持するアーム部と、
備えたナースコール子機。
【発明の詳細な説明】
【技術分野】
【０００１】
本発明は、患者毎に設置され、患者を照らす照明灯などの機能を備えたナースコール子機に関し、ナースコール子機からの呼び出しに対して、ナースコール親機で応答できるように成されたナースコールシステムに用いて好適なものである。
【背景技術】
【０００２】
従来、病院などの施設ではナースコールシステムが使用されていた。このナースコールシステムは、病室内の患者の近辺（例えば、ベッド近傍など）に設置されたナースコール子機および看護師などの医療従事者が在室しているナースセンターなどに設置されたナースコール親機を有線や無線などにより接続して構成されている。
【０００３】
また、ナースコール子機およびナースコール親機は、廊下灯や制御機などを介して接続されている。ここで、廊下灯は、各病室の出入口近傍の廊下側に設けられており、ナースコール子機から呼び出しが行われたことを表示したり、呼び出しを行った患者の氏名などを表示したりすることで呼び出しを報知する。また、制御機は、ナースコール子機およびナースコール親機間の通話やデータの送受信に関する制御を行う。
【０００４】
ナースコール子機およびナースコール親機を有線にて接続する場合には、ナースコール子機のコードの先端に設けられた接続端子は、病室内のベッド近傍の壁面に埋め込まれた壁面ユニットの接続部に着脱自在に取り付けられている。
【０００５】
また、ナースコール子機としては、握り押しボタン式子機やハンド形子機などがある。握り押しボタン式子機は、押しボタン状の呼出操作部の操作により医療従事者を呼び出すものであり、通話機能を備えていない。また、ハンド形子機は、呼出操作部に加えてマイクおよびスピーカを内蔵しており、通話機能を備えている。なお、このようなナースコールシステムは、病院だけではなく、介護施設などでも使用されている。
【０００６】
ところで、夜間などの周囲が暗い場合でも患者が読書などを行うための読書灯や、夜間などの周囲が暗い場合でも医療従事者が患者の患部などを確認するための処置灯として使用される照明装置をベッド近傍に設置することが知られている。ここで、照明装置は、例えば、可動式のアームなどを介してベッド近傍の壁面に取り付けられる。
【０００７】
また、ナースコール子機の操作ユニットと照明装置とを一つの筐体に収容してベッド近傍に設置する技術が知られている（例えば、特許文献１など）。この特許文献１では、ナースコール子機の操作ユニットは、照明装置のヘッド部に着脱可能に取り付けられており、その間の信号伝送は有線や無線により行われている。また、特許文献１では、ヘッド部はアーム部により壁面ユニットに固定されている。
【特許文献１】特開２００５−５２４０４号公報
【０００８】
ところで、特許文献１に記載の技術では、ナースコール子機の操作ユニットと照明装置のヘッド部との間の信号伝送を無線にすることは記載されているものの、照明装置は有線にて壁面ユニットの接続部に接続されているため、操作ユニットと壁面ユニットとの間で伝送される信号を通すための信号伝送用のコードがアーム部の内部や周辺に存在してしまう。そのため、アーム部の可動によりコードが断線して信号の伝送が確実に行われなかったり、コードがアーム部の可動の邪魔になったりしてしまうという問題があった。
【０００９】
一方、病室の出入口近傍に設置される廊下灯を無線基地局として、ナースコール子機を無線にて接続する技術が知られている（例えば、特許文献２など）。
【特許文献２】特開２００２−９９５７号公報
【００１０】
しかしながら、特許文献２に記載の技術では、無線基地局を廊下灯としているため、病室が広いような場合、病室内におけるベッドの位置によっては、その病室内のナースコール子機が廊下灯から遠く離れて存在するようなことが考えら、無線接続に使用される電波が微弱なものであったりすると、信号伝送が確実に行われなくなってしまうという問題があった。
【発明の開示】
【発明が解決しようとする課題】
【００１１】
本発明は、このような問題を解決するために成されたものであり、照明装置のヘッド部に操作ユニットを設けたナースコール子機において、アーム部の内部や周辺に信号伝送用のコードを存在させないようにしつつ、病室内が広いような場合でも、すべてのナースコール子機の信号伝送が確実に行われるようにすることを目的とする。
【課題を解決するための手段】
【００１２】
上述した課題を解決するために、本発明では、患者の近傍を照明する照明ユニットと、患者が医療従事者を呼び出すために操作する呼出操作部を備えたナースコールユニットとを、アーム部の先端に取り付けたヘッド部に収容しており、各ベッドの近傍の壁面に設けられた壁面ユニットにアーム部を収容するようにしている。そして、ナースコールユニットと壁面ユニットとの間で呼出信号を無線にて伝送し、この無線の電波を少なくともアーム部の長さ以上の距離を伝送することができるような強さにしている。
【発明の効果】
【００１３】
以上のように、本発明によれば、無線による呼出信号の伝送が、ナースコールユニットと壁面ユニットとの間で行われるので、アーム部の内部や周辺に信号伝送用のコードが存在しなくなる。また、ナースコールユニットから送信される無線呼出信号を受信する壁面ユニットが各ベッドの近傍に設置されているため、病室内が広いような場合でも、ナースコールユニットと壁面ユニットとの距離が比較的近くなり、信号伝送が確実に行われる。また、無線呼出信号の電波が少なくともアーム部の長さの距離を伝送することができるような強さであるため、信号伝送が確実に行われる。
【発明を実施するための最良の形態】
【００１４】
以下、本発明の一実施形態を図面に基づいて説明する。図１は、本実施形態によるナースコール子機の外観例を示す図であり、図２は、本実施形態によるナースコール子機の構成例を示すブロック図である。図１および図２に示すように、本実施形態によるナースコール子機は、照明ユニット１、ナースコールユニット２、ヘッド部３、アーム部４、壁面ユニット５を備えて構成されている。
【００１５】
また、照明ユニット１は、発光部１ａ、照明スイッチ１ｂを備えて構成されている。また、ナースコールユニット２は、呼出操作部２ａ、呼出信号生成部２ｂ、無線送信部２ｃを備えて構成されている。また、壁面ユニット５は、電源コンセント５ａ、収容部５ｂ、無線受信部５ｃを備えて構成されている。
【００１６】
ここで、照明ユニット１およびナースコールユニット２は、ヘッド部３に収容されている。ヘッド部３は、アーム部４の一端部分に取り付けられることにより支持されている。また、アーム部４の他端部分は、壁面ユニット５の収容部５ｂに収容されることにより取り付けられている。アーム部４は、途中に設けた回動部により屈曲可能であり、患者や医療従事者は、アーム部４を屈曲させることにより、ヘッド部３の照明ユニット１やナースコールユニット２を所望の角度に調節することができる。
【００１７】
照明ユニット１の発光部１ａは、蛍光灯やＬＥＤ（Light Emitting
Diode）などにより構成されており、下方を照明するようにヘッド部３に取り付けられている。発光部１ａから照射された光は、少なくとも患者の近傍の領域を照明することが可能である。照明スイッチ１ｂは、発光部１ａを点灯／消灯する（点灯状態と消灯状態とを切り替える）ためのものであり、患者や医療従事者により操作される。
【００１８】
ナースコールユニット２の呼出操作部２ａは、患者が医療従事者を呼び出すための操作を行うためのもので、押しボタンなどにより形成されている。呼出信号生成部２ｂは、呼出操作部２ａが操作された場合に、呼出信号を生成して出力する。無線送信部２ｃは、呼出信号生成部２ｂにより生成された呼出信号を入力し、無線呼出信号に変換して送信する。ここで、無線呼出信号は、少なくとも所定の長さ以上の距離を伝送することができるような強さの電波であれば良い。また、所定の長さとは、アーム部４の長さに相当する。なお、ナースコールユニット２には、患者が医療従事者と会話を行うためのマイクやスピーカが設けられていても良い。また、会話時の音声をやり取りするための通信信号は、呼出信号と同様に無線送信部２ｃによって無線通信信号に変換されて送受信される。
【００１９】
壁面ユニット５は、病室内の患者が居るベッドの近辺の壁面に設けられている。電源コンセント５ａは、ヘッド部３に収容された照明ユニット１およびナースコールユニット２に電源を供給するためのものであり、ヘッド部３からアーム部４の内部や周辺を伝って設置された電源コードＣの先端の電源プラグを接続している。ここで、電源コードＣは、呼出信号を伝送していない。
【００２０】
収容部５ｂは、前述したように、アーム部４の他端部分を収容する。無線受信部５ｃは、ナースコールユニット２の無線送信部２ｃから送信された無線呼出信号を受信する。また、無線受信部５ｃは、受信した無線呼出信号を通常の呼出信号に変換して、図示しないナースコール親機へ出力する。ナースコール親機は、医療従事者が在室するナースセンターなどに設置されている。ここで、ナースコール親機には、複数のナースコール子機が接続されている（図示せず）。また、壁面ユニット５とナースコール親機との間は、有線により接続されている。
【００２１】
また、壁面ユニット５とナースコール親機との間には、患者により呼び出しが行われたことを表示したり、呼び出しを行った患者の氏名などを表示したりする図示しない廊下灯が接続されている。ここで、廊下灯は、病室毎に設けられており、各部屋の出入口近傍の外側の壁面などに取り付けられており、患者からの呼び出し時に点灯するなどの状態変化により呼び出しを報知する。
【００２２】
また、壁面ユニット５とナースコール親機との間には、ナースコール子機およびナースコール親機間の通話やデータの送受信に関する制御を行う図示しない制御機が接続されている。制御機は、壁面ユニット５の無線受信部５ｃから出力された呼出信号を入力し、その呼出信号を識別して、どの患者から呼び出しが行われたかを特定してナースコール親機に出力する。
【００２３】
以上詳しく説明したように、本実施形態によれば、患者の近傍を照明する照明ユニット１と、患者が医療従事者を呼び出すために操作する呼出操作部２ａを備えたナースコールユニット２とを、アーム部４の先端に取り付けたヘッド部３に収容しており、各ベッドの近傍の壁面に設けられた壁面ユニット５にアーム部４を収容するようにしている。そして、ナースコールユニット２の無線送信部２ｃから壁面ユニット５の無線受信部へ無線呼出信号を伝送し、この無線の電波を少なくともアーム部４の長さ以上の距離を伝送することができるような強さにしている。
【００２４】
これにより、無線による呼出信号の伝送が、ナースコールユニット２を収容したヘッド部３と壁面ユニット５との間で行われるので、アーム部４の内部や周辺に信号伝送用のコードが存在しなくなる。また、ナースコールユニット２から送信される無線呼出信号を受信する壁面ユニット５が各ベッドの近傍に設置されているため、病室内が広いような場合でも、ナースコールユニット２と壁面ユニット５との距離が比較的近くなり、信号伝送が確実に行われる。また、無線呼出信号の電波が少なくともアーム部４の長さの距離を伝送することができるような強さであるため、信号伝送が確実に行われる。
【００２５】
なお、前述した実施形態では、ヘッド部３には、照明ユニット１とナースコールユニット２とが収容されているが、これに限定されない。例えば、表示ディスプレイを備えたディスプレイユニットとナースコールユニット２とをヘッド部３に収容するようにしても良い。また、照明ユニット１とディスプレイユニットとナースコールユニットとの全てをヘッド部３に収容するようにしても良い。
【００２６】
また、前述した実施形態では、アーム部４の他端は、壁面ユニット５に収容されているが、これに限定されない。例えば、アーム部４の他端をベッドのヘッドボードや柵などに収容するようにしても良い。この場合、ベッドに無線呼出信号を中継する中継装置を設けても良いし、ヘッド部３から壁面ユニット５まで、無線呼出信号を直接送信するようにしても良い。無線呼出信号をヘッド部３から壁面ユニット５まで直接送信する場合、前述した所定の長さは、ヘッド部３から壁面ユニット５までの距離となる。
【００２７】
また、前述した実施形態では、照明スイッチ１ｂをヘッド部３に設けているが、これに限定されない。例えば、無線式のリモコン装置に照明スイッチ１ｂを設け、ヘッド部３内にリモコン装置からの信号を受信する受信装置を設けるようにしても良い。ここで、本発明では、ナースコールユニット２の呼出操作部２ａは、ヘッド部３に設置される必要があるため、リモコン装置に呼出操作部２ａを設けることはない。
【００２８】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００２９】
【図１】本実施形態によるナースコール子機の外観例を示す図である。
【図２】本実施形態によるナースコール子機の構成例を示すブロック図である。
【符号の説明】
【００３０】
１    照明ユニット
１ａ    発光部
１ｂ    照明スイッチ
２    ナースコールユニット
２ａ    呼出操作部
２ｂ    呼出信号生成部
２ｃ    無線送信部
３    ヘッド部
４    アーム部
５    壁面ユニット
５ａ    電源コンセント
５ｂ    収容部
５ｃ    無線受信部
【図１】
2010154889.tif 000003
【図２】
2010154889.tif 000004